(57)【特許請求の範囲】
【請求項１】
音声通信を行うための音声通信機能とデータ通信を行うためのデータ通信機能とを有する携帯電話機であって、
電話番号とアドレスとを記憶する記憶手段と、
位置情報を取得する取得手段と、
自携帯電話機が音声通信可能なエリア内にあるか否かを判断する判断手段と、
前記判断手段によって前記自携帯電話機が音声通信可能なエリア内にないと判断された場合、前記記憶手段により記憶されたアドレスを取り出す取出手段と、
前記取出手段により取り出されたアドレスに、前記取得手段により取得された位置情報を含むメッセージを前記データ通信機能によって送信させる実行手段と、
を備えたことを特徴とする携帯電話機。
【請求項２】
前記記憶手段に記憶された電話番号とアドレスとが緊急機関の電話番号とアドレスとであることを特徴とする請求項１記載の携帯電話機。
【請求項３】
前記判断手段は、前記記憶手段に記憶された電話番号へ音声通信を行う場合において、前記自携帯電話機が音声通信可能なエリア内にあるか否かの前記判断を行うことを特徴とする請求項１記載の携帯電話機。
【請求項４】
前記実行手段は前記メッセージの送信を複数回実行することを特徴とする請求項１記載の携帯電話機。
【請求項５】
音声通信を行うための音声通信機能とデータ通信を行うためのデータ通信機能とを有する携帯電話機による通知方法であって、
自携帯電話機が音声通信可能なエリア内にあるか否かを判断する判断手順と、
前記判断手順で前記自携帯電話機が音声通信可能なエリア内にないと判断された場合、電話番号とアドレスとを記憶する記憶手段により記憶されたアドレスを取り出す取出手順と、
位置情報を取得する取得手順と、
前記取出手順により取り出されたアドレスに、前記取得手順により取得された位置情報を含むメッセージを前記データ通信機能によって送信させる実行手順と、
を有することを特徴とする通知方法。
【請求項６】
音声通信を行うための音声通信機能とデータ通信を行うためのデータ通信機能とを有し、電話番号とアドレスとを記憶する記憶手段を備えた携帯電話機を、
位置情報を取得する取得手段、
自携帯電話機が音声通信可能なエリア内にあるか否かを判断する判断手段と、
前記判断手段によって前記自携帯電話機が音声通信可能なエリア内にないと判断された場合、電話番号とアドレスとを記憶する記憶手段により記憶されたアドレスを取り出す取出手段、及び
前記取出手段により取り出されたアドレスに、前記取得手段により取得された位置情報を含むメッセージを前記データ通信機能によって送信させる実行手段、
として機能させることを特徴とする通知プログラム。
【発明の詳細な説明】
【技術分野】
【０００１】
本発明は、音声通信を行う際の携帯電話機の動作を改善する技術に関する。
【背景技術】
【０００２】
ＣＤＭＡ（Code Division Multiplex Access：符号分割多重接続）技術を応用した携帯電話方式である「ｃｄｍａ２０００」規格に含まれる技術仕様として、１ｘＥＶＤＯ（Evolution Data Only）が提供されており、ＥＶＤＯ規格はデータ通信のみに対応した規格である。
１ｘＥＶＤＯ対応の携帯電話機では、データ通信はＥＶＤＯ規格を優先してＥＶＤＯ網で行われ、音声通信は１ｘ規格を利用して１ｘ網で行われる。そして、携帯電話機がＥＶＤＯ網の圏外にあるときは、データ通信も１ｘ規格を利用して１ｘ網で行われる。
【０００３】
ところで、携帯電話機が１ｘ網の圏外にあり、ＥＶＤＯ網の圏内にある状況で、ユーザが音声通信をしようと相手の携帯電話機の電話番号を指定して呼び出し操作を行ったとしても１ｘ網の圏外にあるため相手の携帯電話機にはつながらない。
このとき、特許文献１に記載の技術を適用すれば、ユーザは本文に用件を記載した電子メールをＥＶＤＯ網を利用して通信相手の携帯電話機に送信することが考えられる。
【特許文献１】特開２００１−３０８９１０号公報
【発明の開示】
【発明が解決しようとする課題】
【０００４】
ところが、ユーザが指定した電話番号が、例えば、緊急機関の緊急電話番号であった場合には、ユーザは自ら電子メールの本文に用件を記載してメールアドレスを入力する作業が必要であると共に、更に電子メールの本文に緊急機関の人が自身の現在位置がわかるような情報も記載する作業も必要になる。このように、電子メールを送信する方法では、緊急時でありながらユーザに新たな作業を課すことになってしまうとともに、複数の作業を行う時間だけ緊急機関に緊急通知されるまでに要する時間が余計にかかってしまう。
【０００５】
ここで、緊急機関とは警察や消防などであり、緊急電話番号として、例えば、日本では警察の「１１０」や消防の「１１９」があり、米国では「９１１」がある。
そこで、本発明は、携帯電話機が音声通信が不可能な場合に、相手にユーザ自身の現在位置に関する位置情報を含むメッセージを送信するまでにユーザに新たな作業を強いることなく、できるだけ短時間に通知を行うことが可能な携帯電話機、通知方法及び通知プログラムを提供することを目的とする。
【課題を解決するための手段】
【０００６】
上記目的を達成するために本発明の携帯電話機は、音声通信を行うための音声通信機能とデータ通信を行うためのデータ通信機能とを有する携帯電話機であって、電話番号とアドレスとを記憶する記憶手段と、位置情報を取得する取得手段と、前記記憶手段に記憶された電話番号へ音声通信を行う場合において前記音声通信が不可能なときに、前記記憶手段に記憶するアドレスを取り出す取出手段と、前記取出手段により取り出されたアドレス宛に、前記取得手段により取得された位置情報を含むメッセージを前記データ通信機能によって送信させる実行手段と、を備える。
【０００７】
本発明の通知方法は、音声通信を行うための音声通信機能とデータ通信を行うためのデータ通信機能とを有する携帯電話機による通知方法であって、電話番号とアドレスとを記憶する記憶手段に記憶された電話番号へ音声通信を行う場合において前記音声通信が不可能なときに、前記記憶手段に記憶するアドレスを取り出す取出手順と、位置情報を取得する取得手順と、前記取出手順により取り出されたアドレス宛に、前記取得手順により取得された位置情報を含むメッセージを前記データ通信機能によって送信させる実行手順と、を有する。
【０００８】
本発明の通知プログラムは、音声通信を行うための音声通信機能とデータ通信を行うためのデータ通信機能とを有し、電話番号とアドレスとを記憶する記憶手段を備えた携帯電話機を、位置情報を取得する取得手段、前記記憶手段に記憶された電話番号へ音声通信を行う場合において前記音声通信が不可能なときに、前記記憶手段に記憶するアドレスを取り出す取出手段、及び前記取出手段により取り出されたアドレス宛に、前記取得手段により取得された位置情報を含むメッセージを前記データ通信機能によって送信させる実行手段、として機能させる。
【発明の効果】
【０００９】
上記の携帯電話機、通知方法及び通知プログラムによれば、携帯電話機が音声通信が不可能な場合、携帯電話機は記憶手段に記憶されたアドレスを取り出すとともに、位置情報を取得する。そして、携帯電話機は、取り出したアドレス宛に、取得した位置情報を含むメッセージをデータ通信機能を用いて送信する。このように、携帯電話機は、自動的に音声通信をしようとした相手のアドレス宛に、メッセージを送信する処理を行う。このため、相手にメッセージを送信するまでにユーザに新たな作業を強いることがなく、ユーザが電子メールの本文に自身の現在位置の情報を記載する作業などを行う場合に比べて相手にメッセージが到達するまでの時間が短くなる。
【００１０】
上記携帯電話機において、前記記憶手段に記憶された電話番号とアドレスとが緊急機関の電話番号とアドレスとであるようにしてもよい。
これによれば、緊急時にはユーザの負担が少なく且つ短時間に相手に通知することが望まれると想定されることから、特に有効である。
上記携帯電話機において、前記音声通信が不可能なときは前記音声通信機能を用いた音声通信可能なエリア外のときであるとしてもよい。
【００１１】
これによれば、携帯電話機が音声通信が不可能になることが最も多いと想定される場合に適用することが可能になる。
上記携帯電話機において、前記実行手段は前記メッセージの送信を複数回実行する。
これによれば、例えば１つのメッセージが通信経路で失われても、他のメッセージが相手の機器に到達する。従って、相手に向けて複数回メッセージを送信する場合は１回だけメッセージを送信する場合に比べて、相手にメッセージが到達する確率が高い。
【発明を実施するための最良の形態】
【００１２】
以下、本発明の実施の形態について図面を参照しつつ説明する。
≪携帯電話システム構成≫
本発明の実施の形態の携帯電話システムのシステム構成について図１を参照しつつ説明する。図１は本実施の形態の携帯電話機システムのシステム構成図である。
図１の携帯電話システム１において、携帯電話機２は１ｘＥＶＤＯ対応の携帯電話機であり、通信衛星６ａ、６ｂ、６ｃ、６ｄが放射する電波を利用して位置（緯度、経度、高度など）を取得するＧＰＳ機能を備える。携帯電話機２は１ｘ網４及びＥＶＤＯ網５の夫々に無線接続される。１ｘ網４には基地局４ａが配置され、ＥＶＤＯ網５には基地局５ａが配置されている。但し、基地局４ａ及び基地局５ａは夫々複数配置される。
【００１３】
緊急機関には、１ｘ網４に接続された固定電話機３ａとＥＶＤＯ網５に接続されたサーバ装置３ｂとを有する緊急機関システム３が設置されている。
≪携帯電話システム動作概要≫
携帯電話機２が１ｘ網４の圏外にあり、ＥＶＤＯ網５の圏内にある場合において、携帯電話機２に緊急電話番号が指定された場合の携帯電話システム１の動作について図１及び図２を参照しつつ説明する。図２は携帯電話機が１ｘ規格に則った通信を行う通信可能なエリア（以下、１ｘ圏という。）とＥＶＤＯ規格に則った通信を行う通信可能なエリア（以下、ＥＶＤＯ圏という。）との関係を示す図である。
【００１４】
図２に示す通り、１ｘ圏４ｂとＥＶＤＯ圏５ｂとは完全に一致しているわけではない。図２では、携帯電話機２は１ｘ圏４ｂに存在しないが、ＥＶＤＯ圏５ｂに存在する場合を図示している。
図２に示す状況下で、携帯電話機２のユーザが緊急電話番号を指定して緊急機関の呼び出し操作を行った場合、携帯電話機２は１ｘ規格に基づく音声通信を開始することになるが、携帯電話機２は１ｘ圏４ｂの圏外にあるため、１ｘ規格に基づく音声通信を開始することができない。
【００１５】
携帯電話機２は、ユーザによって指定された電話番号（以下、指定電話番号という。）が予め内部の記憶部に記憶している緊急電話番号であるかを確認する。そして、携帯電話機２は、指定電話番号が緊急電話番号であることを確認した場合、自機がＥＶＤＯ圏５ｂの圏内にあるかを確認する。
携帯電話機２は、自機がＥＶＤＯ圏５ｂの圏内にあることを確認した場合、予め内部の記憶部に記憶している緊急電話番号に対応付けた緊急機関のアドレスを取り出すとともに、ＧＰＳ（Global Positioning System）を利用して自機の現在の位置（緯度、経度、高度など）を示す位置情報を取得する。
【００１６】
続いて、携帯電話機２は、自機の位置情報と緊急通知であることを示す情報とを含む緊急通知メッセージを作成し、緊急機関のアドレスをあて先とし、緊急通知メッセージをＥＶＤＯ規格に基づくデータ通信により送信する。
携帯電話機２から送信された緊急通知メッセージは基地局５ａを含むＥＶＤＯ網５を介して緊急機関が所有する緊急機関システム３内のサーバ装置３ｂに到達する。
【００１７】
サーバ装置３ｂは、表示部に地図を表示しており、緊急通知メッセージを受信した際、当該緊急通知メッセージに含まれる位置情報を基に当該位置情報が示す地図上の位置に印を表示する。この印の表示の仕方としては丸印を点滅させるなどがある。
なお、携帯電話機２が１ｘ圏４ｂの圏内にある場合にユーザが緊急電話番号を指定した場合は、携帯電話機２は１ｘ規格に基づく緊急呼を送出し、緊急呼が基地局４ａを含む１ｘ網４を介して緊急機関システム３内の固定電話機３ａに到達する。
≪携帯電話機構成≫
図１の携帯電話機の構成について図３を参照しつつ説明する。図３は図１の携帯電話機の構成図である。
【００１８】
携帯電話機２は、制御部２１と操作部２２と表示部２３と記憶部２４と音声処理部２５とマイク２５ａとスピーカ２５ｂと１ｘ用通信部２６とＥＶＤＯ用通信部２７とＧＰＳ用通信部２８とアンテナ２６ａ、２７ａ、２８ａとを備える。
制御部２１は、携帯電話機２全体の制御を行うものであり、本発明に関連する部分の機能の詳細については後述する。
【００１９】
操作部２２は、テンキーや確定キーなどを有し、押下されたキーの押下信号を制御部２１へ出力する。ユーザは、操作部２２を利用して、例えば、緊急機関である警察の緊急電話番号「１１０」の指定及び呼び出し操作を行う。
表示部２３は、ディスプレイなどにより構成され、制御部２１から入力される表示データの表示を行う。
【００２０】
記憶部２４には、携帯電話機２を制御するための各種制御プログラムや各種アプリケーションソフトが格納されている。また、記憶部２４には図４に一例を示す緊急機関テーブルを格納するための記憶領域が割り当てられている。
図４に示す緊急機関テーブルには、フィールドとして、「登録番号」、「名称」、「電話番号」及び「アドレス」がある。フィールド「名称」には緊急機関の名称が格納される。フィールド「電話番号」には、１ｘ網の通信用に緊急機関に割り当てられた緊急電話番号が格納される。また、フィールド「アドレス」にはＥＶＤＯ網の通信用に緊急機関に割り当てられたアドレスが格納される。
【００２１】
音声処理部２５は制御部２１から入力されるデジタル信号をアナログ信号に変換してスピーカ２５ｂへ出力し、スピーカ２５ｂは音声処理部２５から入力されるアナログ信号を出力する。マイク２５ａは当該マイク周辺の音を集めて音声処理部２５へ出力し、音声処理部２５はマイク２５ａから入力されるアナログ信号をデジタル信号に変換して制御部２１へ出力する。
【００２２】
１ｘ用通信部２６は、１ｘ規格に基づく通信用の通信部であって、アンテナ２６ａを介して１ｘ網４に接続された他の機器との間で信号の送受信を行う。１ｘ用通信部２６は、アンテナ２６ａで受信された受信信号を制御部２１へ出力し、制御部２１から入力される送信信号をアンテナ２６ａから送出する。
ＥＶＤＯ用通信部２７は、ＥＶＤＯ規格に基づく通信用の通信部であって、アンテナ２７ａを介してＥＶＤＯ網５に接続された他の機器との間で信号の送受信を行う。ＥＶＤＯ用通信部２７は、アンテナ２７ａで受信された受信信号を制御部２１へ出力し、制御部２１から入力される送信信号をアンテナ２６ａから送信する。
【００２３】
ＧＰＳ用通信部２８は、アンテナ２８ａで受信されたＧＰＳを構成する４基の通信衛星によって発せられた電波を制御部１１へ出力する。
＜制御部構成＞
図３の制御部２１の本発明に関連する機能について図５を参照しつつ説明する。図５は図３の携帯電話機の機能ブロック図である。
【００２４】
制御部２１は、入力処理部５１、１ｘ圏確認部５２、１ｘ通信実行部５３、緊急電話番号確認部５４、ＥＶＤＯ圏確認部５５、アドレス取出部５６、位置情報取得部５７、緊急通知メッセージ作成部５８、及びＥＶＤＯ通信実行部５９として機能する。
入力処理部５１は、操作部２２から入力されるキーの押下信号を基に入力内容の解析を行う。入力処理部５１は、入力内容が電話番号の入力及び呼び出し操作の場合、入力内容の電話番号を１ｘ圏確認部５２へ出力する。
【００２５】
１ｘ圏確認部５２は、自機が１ｘ網４の圏内、つまり、１ｘ規格に則った音声通信が可能であるか否かを確認する。１ｘ確認部５２は、自機が１ｘ網４の圏内にあることを確認した場合、つまり、自機が１ｘによる音声通信が可能であることを確認した場合、入力処理部５１から入力された電話番号を１ｘ通信実行部５３に出力する。また、１ｘ確認部５２は、自機が１ｘ網４の圏外にあることを確認した場合、つまり、自機が１ｘによる音声通信が可能でないことを確認した場合、入力処理部５１から入力された電話番号を緊急電話番号確認部へ出力する。
【００２６】
１ｘ通信実行部５３は、１ｘ圏確認部５２から入力された電話番号に基づく発呼処理など音声通信の開始に必要な処理、相手の機器との間で音声を送受信するための処理、などを行う。
緊急電話番号確認部５４は、記憶部２４内の緊急機関テーブルのフィールド「電話番号」に１ｘ圏確認部５２から入力される電話番号が存在するか否か、つまり、１ｘ圏確認部５２から入力された電話番号が緊急機関の緊急電話番号であるか否かを確認する。緊急電話番号確認部５４は、１ｘ圏確認部５２から入力される電話番号が緊急機関テーブルのフィールド「電話番号」に存在することを確認した場合、１ｘ圏確認部５２から入力された電話番号（この電話番号はいずれかの緊急機関の電話番号である）をＥＶＤＯ圏確認部５５へ出力する。
【００２７】
ＥＶＤＯ圏確認部５５は、自機がＥＶＤＯ網５の圏内、つまり、ＥＶＤＯ規格に則ったデータ通信が可能であるか否かを確認する。ＥＶＤＯ圏確認部５５は自機がＥＶＤＯ網５の圏内にあることを確認した場合、つまり、自機がＥＶＤＯによるデータ通信が可能であることを確認した場合、緊急電話番号確認部５４から入力される緊急電話番号をアドレス取出部５６へ出力する。
【００２８】
アドレス取出部５６は、記憶部２４内の緊急機関テーブルのフィールド「電話番号」の値がＥＶＤＯ圏確認部５５から入力される緊急電話番号に一致するレコードを検索し、検索の結果見つかったレコードのフィール「アドレス」の値を取り出す。そして、アドレス取出部５６は緊急機関テーブルから取り出したアドレス（ユーザによって入力された緊急電話番号が割り当てられた緊急機関に割り当てられたアドレス）を緊急通知メッセージ作成部５８へ出力する。
【００２９】
位置情報取得部５７は、ＧＰＳ用通信部２８から入力される４基の通信衛星によって放射された電波に基づいて自機の現在位置を算出し、算出した自機の現在位置を示す位置情報を緊急通知メッセージ作成部５８へ出力する。
緊急通知メッセージ作成部５８は、位置情報取得部５７から入力される位置情報と緊急通知であることを示す情報とを含む緊急通知メッセージを作成し、当該緊急通知メッセージにアドレス取出部５６から入力されるアドレスをあて先として付加する。そして、緊急通知メッセージ作成部５８は、作成した緊急通知メッセージをＥＶＤＯ通信実行部５９へ出力する。
【００３０】
ＥＶＤＯ通信実行部５９は、緊急通知メッセージ作成部５８から入力される緊急通知メッセージに付加されたアドレスをあて先とし、当該アドレスが割り振られた機器に緊急通知メッセージをＥＶＤＯ規格に則ったデータ通信により送信するための処理を実行する。これにより、ＥＶＤＯ通信部２７及びアンテナ２７ａを介して緊急通知メッセージが送出され、緊急通知メッセージが基地局５ａを含むＥＶＤＯ網５を介して緊急機関システム３のサーバ装置３ｂに到達する。
≪サーバ装置構成≫
図１のサーバ装置の構成について図６を参照しつつ説明する。図６は図１のサーバ装置の構成図である。
【００３１】
サーバ装置３ｂは、制御部３１と操作部３２と表示部３３と記憶部３４とＥＶＤＯ用通信部３５とを備える。
制御部３１は、サーバ装置３ｂ全体の制御を行うものである。本実施の形態では、制御部３１は、緊急機関がサポートするエリアの地図データを表示データとして表示部３３へ出力する。そして、ＥＶＤＯ用通信部３５により緊急通知メッセージが受信されたか否かを監視し、緊急通知メッセージが受信されたことを検出した場合には緊急通知メッセージに含まれる位置情報を基に表示部３３に表示されている地図上の当該位置情報が示す位置に印を表示するための表示データを表示部３３へ出力する。
【００３２】
操作部３２は、テンキーや確定キーなどを有し、押下されたキーの押下信号を制御部３１へ出力する。
表示部３３は、ディスプレイなどにより構成され、制御部３１から入力される表示データの表示を行う。
記憶部３４には、サーバ装置３ａを制御するための各種制御プログラムや各種アプリケーションソフトが格納されているとともに、緊急機関がサポートするエリアの地図データを記憶している。
【００３３】
ＥＶＤＯ用通信部３５は、ＥＶＤＯ規格に基づく通信用の通信部であって、ＥＶＤＯ網５に接続された他の機器との間で信号の送受信を行う。ＥＶＤＯ用通信部３５は、ＥＶＤＯ網５から受信する受信信号を制御部３１へ出力し、制御部３１から入力される送信信号をＥＶＤＯ網５へ送信する。
≪携帯電話機の通信動作≫
図１の携帯電話機２の通信動作について図７を参照しつつ説明する。図７は、図１の携帯電話機２の通信動作の流れを示すフローチャートである。
【００３４】
入力処理部５１は、操作部２２から押下信号が入力されているか否かによりユーザによる入力操作があったか否かを判断し（ステップＳ１０１）、入力操作がない場合には（Ｓ１０１：ＮＯ）にはステップＳ１０１の処理に戻る。
入力操作があった場合（Ｓ１０１：ＹＥＳ）、入力処理部５１は操作部２２から入力された押下信号に基づき入力操作が電話番号の指定及び呼び出しに関する操作（以下、通話開始操作という。）であったか否かを判断する。入力操作が通話開始操作でないと判断された場合には（Ｓ１０２：ＮＯ）ステップＳ１１０の処理に進み、携帯電話機２は入力操作に応じた処理を行う（ステップＳ１１０）。
【００３５】
入力操作が通話開始操作であると判断された場合（Ｓ１０２：ＹＥＳ）、１ｘ圏確認部５２は自機が１ｘ網４の圏内、つまり、１ｘ規格に則った音声通信が可能であるか否かを確認する（ステップＳ１０３）。確認の結果、自機が１ｘ網４の圏内にあった場合（Ｓ１０３：ＹＥＳ）、１ｘ通信実行部５３は、通話開始操作で入力された電話番号（指定電話番号）に基づく発呼処理などの音声通信処理を行う（ステップＳ１１１）。これにより、例えば、指定電話番号が緊急電話番号であった場合には、携帯電話機２から発せられた緊急呼が基地局４ａを含む１ｘ網４を介して緊急機関システム３の固定電話機３ａに到達する。
【００３６】
確認の結果、自機が１ｘ網４の圏外にあった場合（Ｓ１０３：ＮＯ）、緊急電話番号確認部５４は、記憶部２４に記憶されている緊急機関テーブルを参照して指定電話番号が緊急電話番号であるか否かを確認する（ステップＳ１０４）。確認の結果、指定電話番号が緊急電話番号でなかった場合には（Ｓ１０４：ＮＯ）、ステップＳ１０１の処理に戻る。
確認の結果、指定電話番号が緊急電話番号であった場合（Ｓ１０４：ＹＥＳ）、ＥＶＤＯ圏確認部５５は自機がＥＶＤＯ網５の圏内、つまり、ＥＶＤＯ規格に則ったデータ通信が可能であるか否かを確認する（ステップＳ１０５）。確認の結果、自機がＥＶＤＯ網５の圏外にあった場合には（Ｓ１０５：ＮＯ）、ステップＳ１０１の処理に戻る。
【００３７】
確認の結果、自機がＥＶＤＯ網５の圏内にあった場合（Ｓ１０５：ＹＥＳ）、アドレス取出部５６は、記憶部２４に記憶されている緊急機関テーブルを参照して指定電話番号（ここでは、緊急電話番号である）に対応付けて記憶されているアドレス（以下、取出アドレスという。）を緊急機関テーブルから取り出す（ステップＳ１０６）。
位置情報取得部５７は、自機の現在の位置（緯度、経度、高度など）を示す位置情報を取得する（ステップＳ１０７）。
【００３８】
緊急通知メッセージ作成部５８は、自機の位置を示す位置情報と緊急通知であることを示す情報とを含む緊急通知メッセージを作成し、取出アドレスをあて先として付加する（ステップＳ１０８）。
ＥＶＤＯ通信実行部５９は、緊急通知メッセージに付加された取出アドレスをあて先とし、当該取出アドレスが割り当てられた機器に緊急通知メッセージの送信をＥＶＤＯ規格に則ったデータ通信により実行し（ステップＳ１０９）、ステップＳ１０１の処理に戻る。これにより、携帯電話機２から発せられた緊急通知メッセージが基地局５ａを含むＥＶＤＯ網５を介して緊急機関システム３のサーバ装置３ｂに到達する。
【００３９】
サーバ装置３ｂの表示部３３には緊急機関がサポートするエリアの地図が表示されている。サーバ装置３ｂの制御部３１がＥＶＤＯ用通信部３５によって緊急通知メッセージが受信されたことを確認すると、緊急通知メッセージに含まれる位置情報を基に表示部３４に表示されている地図上の当該位置情報が示す位置に印を表示する。
≪補足≫
（１）上記の実施の形態では、通信方式として１ｘ方式とＥＶＤＯ方式との２種類を例に挙げて説明したが、これに限られるものではなく、次のようなものであれば本発明は適用できる。
【００４０】
音声通信が可能な通信方式（以下、第１通信方式という。）とデータ通信が可能な通信方式（以下、第２通信方式という。）の２種類の通信方式があり、携帯電話機が第２通信方式を利用して通信を行うことが可能なエリアの少なくとも一部が第１通信方式を利用して通信を行うことが可能なエリアに含まれない。
データ通信が可能な通信方式としては、無線ＬＡＮなどが挙げられる。
（２）上記の実施の形態では、携帯電話機２は緊急通知メッセージを１回送信する場合を例に挙げて説明したが、これに限らず、例えば、緊急通知メッセージを所定期間空けて複数回送信するようにしてもよく、基地局から所定期間内に緊急通知メッセージに対するＡＣＫ信号を受信しなければ緊急通知メッセージを再送信するようにしてもよい。
（３）上記の実施の形態では、携帯電話機が自機の現在の位置を示す位置情報を取得する技術としてＧＰＳを用いる場合を例に挙げて説明したが、これに限られるものではなく、携帯電話機の位置を取得する技術であれば本発明に適用できる。例えば、複数の基地局と携帯電話機との距離を利用して携帯電話機の位置を算出する技術である。
（４）上記の実施の形態では、緊急機関は１つのサーバ装置３ｂを設ける場合であるが、これに限らず、緊急機関が複数のサーバ装置を設け、図４の緊急機関テーブルに各サーバ装置毎のアドレスを記憶しておき、携帯電話機は各々のアドレスを用いて位置情報を含む緊急通知メッセージを送出するようにしてもよい。これは、１つのサーバ装置がダウンしているような場合であっても他のサーバ装置が緊急通知メッセージを受信するので、通信相手に必ずメッセージを通知したい緊急時に有効である。
（５）上記の実施の形態では、１ｘ規格に則った通信が不可能な場合として１ｘ網の圏外にある場合を例に挙げて説明したが、これに限らず、１ｘの規格に則った通信が不可能な場合として携帯電話機の一部が故障して１ｘ規格に則った通信を行うことができないような場合も含めるようにしてもよい。
（６）上記の実施の形態では、１ｘ規格に則った通信からＥＶＤＯ規格に則った通信に切り替えるのは相手先が緊急機関である場合を例に挙げて説明したが、これに限られず、相手先が緊急機関以外の場合であっても本発明は適用できる。
（７）上記の実施の形態において説明した処理と等価な処理手順を記述したプログラムをメモリに格納し、ＣＰＵ（Central Processing Unit）等を用いて処理を行わせるようにしてもよい。また、プログラムをコンピュータ等で読み取り可能なＣＤ−ＲＯＭなどの記録媒体に記録するようにしてもよい。
【産業上の利用可能性】
【００４１】
本発明は、２つの通信網に接続可能な携帯電話機による緊急機関への緊急通知に利用することができる。
【図面の簡単な説明】
【００４２】
【図１】発明の実施の形態の携帯電話システムのシステム構成図。
【図２】１ｘの通信可能エリアとＥＶＤＯの通信可能エリアとの関係を示す図。
【図３】図１の携帯電話機の構成図。
【図４】図３の記憶部に記憶される緊急機関テーブルを示す図。
【図５】図３の制御部の機能ブロック図。
【図６】図１のサーバ装置の構成図。
【図７】図１の携帯電話機の通信動作の流れを示すフローチャート。
【符号の説明】
【００４３】
１  携帯電話システム
２  携帯電話機
３  緊急機関システム
３ａ  固定電話
３ｂ  サーバ装置
４  １ｘ網
５  ＥＶＤＯ網
【図１】
0004740780.tif 000002
【図２】
0004740780.tif 000003
【図３】
0004740780.tif 000004
【図４】
0004740780.tif 000005
【図５】
0004740780.tif 000006
【図６】
0004740780.tif 000007
【図７】
0004740780.tif 000008